Podtech/llm-jp-corpus-v4-ja_patent huggingface dataset:
(57)【要約】【課題】迷惑メールの受信数自体を減らし、それらによるネットワーク上のトラフィックを低減する事を目的とする。【解決手段】送られてくる迷惑メールに対し、他の迷惑メール送信者のアドレスを、宛先アドレスに追加し返信する事により、迷惑メール送信者のシステムリソースを浪費させメール送信能力を低下及び停止させる方式のプログラム。【選択図】図２
2013016139.tif 000002
【特許請求の範囲】
【請求項１】
電子メールで利用する通信網（１）に接続される、電子メール受信端末（２）か、又はメールサーバー（３）で稼働するプログラムであって、処理の内容は、予め保持する、受信すべき既知の電子メールアドレスデータ（４ａ）に含まれるもの以外から送られてくる電子メールのアドレスを、迷惑メール送信者アドレスデータ（４ｂ）として保存し、迷惑メールを受信時にそれらに対し、迷惑メール送信者アドレスデータ（４ｂ）に含まれるアドレスを、宛先アドレスに追加し返信する事により、迷惑メール送信者のシステムリソースを浪費させ電子メール送信能力を低下させ及び停止させることを特徴とする。
【発明の詳細な説明】
【技術分野】
【０００１】本発明は、迷惑メール送受信の抑止プログラムに関するものである。
【背景技術】
【０００２】従来の主な迷惑メール対策方法は、事前に迷惑メール送信者に関する情報を予め収集し、電子メールを受信時に、それらに基づき迷惑メール判定を行い、フィルタリングする方式である。【０００３】しかし、迷惑メール送信者は、自身の送信アドレス名やドメイン名を偽装し、又は頻繁に変え、利用されるＩＰアドレスも通常は動的に割り当てられるため、従来のフィルタリングする方式では、未知の迷惑メール送信者に対応できず、また常に迷惑メール送信者に関する情報の定義ファイルを更新する必要があり、迷惑メールの送受信数自体を減らす効果は無かった。
【発明の概要】
【発明が解決しようとする課題】
【０００４】従来の方式では、迷惑メールをフィルタリングするためには、アドレス名、ドメイン名、ＩＰアドレス、特定の文字列、を予め知る必要があり、未知の内容や送信元の、迷惑メールに対応できない点である。【０００５】フィルタリングする方式では、迷惑メールの送受信数自体の削減効果がない点である。
【課題を解決しようとする手段】
【０００６】本発明は、受信する迷惑メールに対し、他の迷惑メールアドレスを宛先に加え返信する事を特徴とする。
【発明の効果】
【０００７】未知の迷惑メール情報を予め知る必要がなく、迷惑メールの送受信数自体を削減でき、迷惑メールによるネットワークのリソースの浪費を減らせる利点がある。
【図面の簡単な説明】
【０００８】
【図１】本発明の、プログラムの配置の説明図である。
【図２】迷惑メール送信者からの電子メールに対し、電子メール受信端末が本発明の手段で、返信する事により発生する迷惑メール経路を示した説明図である。（実施例）
【発明を実施するための形態】
【０００９】電子メール受信端末（２）、又はメールサーバー（３）に、本発明のプログラムを配置し稼働させる。
【実施例】
【００１０】一般に、迷惑メール送信者はオプトアウト方式を悪用し、返信された電子メールの宛先に書かれたアドレスに対し迷惑メールを送信するため、各迷惑メールの送信者（５ａ、５ｂ、５ｃ）の送信能力を１とし、それらの送信者に対し、電子メール受信端末（２）が本発明の手段で返信をする時、それら間に相互に発生する電子メール経路（６）上の迷惑メール送信数をｎとすると、各迷惑メール送信者（５ａ、５ｂ、５ｃ）の送信能力は数式１の通り０に収束する。【００１１】
【数１】
2013016139.tif 000003
【符号の説明】
【００１２】１    通信網
２    電子メール受信端末
３    メールサーバー
４ａ  受信すべき既知のメールアドレスデータ
４ｂ  迷惑メールアドレスデータ
５ａ  迷惑メール送信者ａ
５ｂ  迷惑メール送信者ｂ
５ｃ  迷惑メール送信者ｃ
６    電子メール経路
【図１】
2013016139.tif 000004
【図２】
2013016139.tif 000005
(57)【要約】      （修正有）【課題】低消費電力、長寿命及び高輝度の特長を持つＬＥＤを蛍光ランプに代替され、維持コストが低減されるＬＥＤ照明器具を提供する。【解決手段】電球用口金２を任意形状の照明器具ベース１に配置し、必要個数のＬＥＤ電球を実装する形態をとる照明器具により、必要な照度（明るさ）確保でき、節電の為実装しない又は故障の為取り外す等の選択が全て利用者の判断で実施できる。【選択図】図１
2013016447.tif 000002
【特許請求の範囲】
【請求項１】
電球用口金を一定間隔に直線配置した、任意長さの照明器具。
【請求項２】
電球用口金を円形板に任意間隔で配置した、照明器具
【請求項３】
請求項１又は請求項目２記載の照明器具において、配置された電球用口金が電気的には並列接続され、個々口金には独立した電力が供給される照明器具。
【発明の詳細な説明】
【技術分野】
【０００１】  本発明は、ＬＥＤ照明器具に関する。
【背景技術】
【０００２】  従来、蛍光ランプを光源とする照明器具が用いられていたが、低消費電力、長寿命及び高輝度の特長を持つＬＥＤを蛍光ランプに代替されたＬＥＤ照明器具の導入が進められている。【０００３】  従来の直管型ＬＥＤ照明器具（灯体）は、従来の蛍光ランプを使用した照明器具サイズを踏襲した、３００ｍｍのタイプ、６００ｍｍのタイプ、１２００ｍｍのタイプ、２４００ｍｍのタイプに分類される。【０００４】  従来の直管型ＬＥＤ照明器具（灯体）は、３００ｍｍのタイプ、６００ｍｍのタイプ、１２００ｍｍのタイプ、２４００ｍｍのタイプとも一体構造になっている。【０００５】  従来の直管型ＬＥＤ照明器具（灯体）は、複数のＬＥＤをモジュールにし、３００ｍｍのタイプ、６００ｍｍのタイプ、１２００ｍｍのタイプ、２４００ｍｍのタイプと、各々の照明灯体を実現している。
【発明の概要】
【発明が解決しようとする課題】
【０００６】  しかしながら、ＬＥＤ照明器具は未だ高価格であり、灯体の一部或いは、モジュールが故障した場合全体を交換しなければならない。【０００７】  ＬＥＤ照明器具は、一般的に４０，０００時間或いは、５０，０００時間の長寿命であるといわれている。しかしながら、寿命末期においては電子部品で構成される関係から、使用している部品の性能にはバラツキがあり、モジュールを構成するＬＥＤ素子が同時に性能劣化はせず、灯体の一部の照度低下又は、不点灯が発生するという現象になる。その場合灯体が一体構造になっている為、全体を交換しなければならない。【０００８】  本発明は、前記事項に着目してなされたものであり、機器の一部が故障した場合でも故障部分のみの交換で修復し、長時間且つ安価に使用できるＬＥＤ照明機器を提供することにある。
【課題を解決するための手段】
【０００９】  上記課題を解決するために、本発明のＬＥＤ照明器具は、灯体に電力供給する複数の口金を有し。複数の市販のＬＥＤ電球が照明器具に実装できる様になっている。【００１０】  本発明のＬＥＤ照明器具は、従来の３００ｍｍのタイプ、６００ｍｍのタイプ、１２００ｍｍのタイプ、２４００ｍｍのタイプの直管形蛍光灯のみならず、任意の長さの器具ベースと任意の形状の器具ベースに適用することができる。
【発明の効果】
【００１１】  本発明のＬＥＤ照明器具の場合、灯体に市販のＬＥＤ電球を使用している事から、照度低下又は、故障の場合利用者が部分交換できるので低コストで長時間利用できる。【００１２】  本発明のＬＥＤ照明器具の場合、灯体に市販のＬＥＤ電球を使用している事から、利用者が自ら、各種照度（明るさ）及び各種色温度（発光色）のＬＥＤ電球を選択し実装することが出来る【００１３】  本発明のＬＥＤ照明器具の場合、複数のＬＥＤ電球を実装できる構造になっている為、任意のＬＥＤ電球を実装せず取り外すことにより簡単に任意の節電調整が出来る。又、ＬＥＤ電球の代わりにコンセントアダプターを実装することにより、ＬＥＤ照明器具の下で他電気機器を使用することが出来る。
【図面の簡単な説明】
【００１４】
【図１】本発明の一実施形態に係る直管形ＬＥＤ照明の代替ＬＥＤ照明器具である。
【図２】図１の器具にＬＥＤ電球を実装した場合の側面図である。
【図３】図２の状態からＬＥＤ電球を外した状態を示した図である。
【図４】本発明でサークル形蛍光灯器具を代替した場合の側面図である。
【図５】図４の底面視図である。
【図６】本発明で投光器形照明を代替した場合の側面図である。
【図７】図６の底面視図である。
【発明を実施するための形態】
【００１５】  以下図面によって本発明を説明する。本発明は、市販のＬＥＤ電球を複数実装することが出来る構造の照明器具である。
【００１６】  図１に、実施形態の一つである直管形ＬＥＤの代替照明器具を示す。多く使用されている、３００ｍｍタイプ、６００ｍｍタイプ、１２００ｍｍタイプ、２４００ｍｍタイプの直管形ＬＥＤ照明器具を代替する場合、器具ベース１を代替する対象器具の長さとし、表面に口金（ソケット）２を任意個数配置する。口金２は、実装する市販されているＬＥＤ電球に合う、例えばＥ２６型とする。
【００１７】  図２は、器具ベース１に４個の口金２を配置し、市販されているＬＥＤ電球を実装した状態の側面を示した図である。図３は、故障又は節電又は照度（明るさ）調整のためにいつでも、誰でも取外し又は交換可能なことを示す為の図である。本図の場合に置いても、全てのＬＥＤ電球が実装されている場合に比べ照度（明るさ）は３／４にはなるが照明灯としての機能は失うことはない。節電のために外した場合であれば、１／４の節電が成された事になる。
【００１８】  図４及び図５は、図１、図２、図３で示した直線的に配置するのでは無く平面に配置することにより、サークル形蛍光灯の代替照明器具が実現できる。形状は図４で示す丸型のみならず、多角形の面に配置することにより、多種形状の照明器具が実現できる。
【００１９】  図６及び図７は、図４で示す数個のＬＥＤ電球ではなく、多数のＬＥＤ電球を配置し且つＬＥＤ電球の発光を集光するガイド壁を設けることにより、投光器形照明器具が実現できる。
【符号の説明】
【００２０】１    直線型器具ベース
２    口金
３    ＬＥＤ電球
４    平面型器具ベース
５    集光形器具ベース
【図１】
2013016447.tif 000003
【図２】
2013016447.tif 000004
【図３】
2013016447.tif 000005
【図４】
2013016447.tif 000006
【図５】
2013016447.tif 000007
【図６】
2013016447.tif 000008
【図７】
2013016447.tif 000009
(57)【要約】【課題】ネオントランスに接続したネオン管の断芯検出方法を簡単正確に提供する手段。【解決手段】ネオントランス３の一次側に加えたアナログ電圧データとＶ１、電流値を得るためのＣＴコイル４のアナログ電流データＡ１をそれぞれＶ２，Ａ２のタイミングデータに変換して電圧と電流の位相差を調べて、位相差の変化を検出する事によって灯器の断芯を判定するものである。【選択図】図１
2013016448.tif 000002
【特許請求の範囲】
【請求項１】
ネオン管による灯器の断芯検出手段に於いて、ネオントランスの二次側にネオン管を接続するとコイル間の相互作用で一次側のインダクタンスが変化し位相差が変化することを利用した断芯検出方法。
【発明の詳細な説明】
【技術分野】
【０００１】本発明は、ネオン管による灯器の断芯検出方法に関するものである。
【背景技術】
【０００２】ネオン管による灯器は安価で長寿命であり電源電圧の変動による光度差も小さい為に保安用灯器として多用されている。
【発明の概要】
【発明が解決しようとする課題】
【０００３】ネオン管による灯器は通常１００Ｖの商用電源をネオントランス（磁気漏れ変圧器）３で約６０００Ｖに昇圧して使用する。従来、ネオン管５の断芯検出は図４に示す様にネオントランス３の一次側に流れる電流をＣＴコイル４等により検出しネオントランス３の一次側を流れる電流の変化を調べて判定している。だがネオン管５は定電圧効果を持つため電源電圧等の変動に対してネオン電流が変動してネオン管５に加わる電圧を一定に保とうと電流を自己可変する為にネオントランス３の一次側電流を計測して断芯検出の手段とする事は判定の正確さに欠ける。
【課題を解決するための手段】
【０００４】上述のように、従来の断芯検出手段の場合はネオントランス３に流れる電流の変化をアナログ値で断芯の判定するため信頼の出来る手段でなかった。
それ故電流の変化に拘わらず正確に判定する為には電流をデジタル処理する事である。
【発明の効果】
【０００５】それにより従来の不安定な断芯検出手段と比べて、安定した完全な断芯検出方法を提供することが出来る
【図面の簡単な説明】
【０００６】
【図１】本発明の実施例を示す回路図
【図２】ネオン管点灯時のネオントランスに流れる電圧に対する電流の位相関係を示すタイミングチャート図
【図３】ネオン管断芯時のネオントランスに流れる電圧に対する電流の位相関係を示すタイミングチャート図
【図４】従来の断芯判定方法を示す回路図
【発明を実施するための形態】
【０００７】従来のアナログによる電流値の量的変化を断芯検出とする方法に変えて、ネオントランスの一次側に加えた電圧と、電流の位相差を検出する手段を得る為に電圧と電流の波形をデジタル化して利用する。
【実施例】
【０００８】以下、本発明のネオン管による灯器の断芯検出方法の実施例を図１、図２、図３を用いて説明する。【０００９】図１に於いて、通常１００Ｖの商用電源を電源入力６，７に接続してネオントランス３に電源を接続する。【００１０】ネオントランス３に加えられた１００Ｖの電圧は約６千Ｖに昇圧されてネオン管５を点灯する。【００１１】この状態での電圧と電流の位相関係を調べるために、電源のデータをコンパレーター１によりデジタルデータに変換し、電流のデータをＣＴコイルで取り出してコンパレーター２でデジタルデータに変換する。【００１２】上述で得られた電圧と電流のデジタルデータの位相差を位相差判定器で調べる事により断芯判定をする。【００１３】ネオントランス３の様なコイルに流れる電流は基本的に位相が９０度遅れる事は周知の事実であるが、２次側に負荷が接続された時はコイル間の相互作用で一次側のインダクタンスも下がり位相差は小さくなる。【００１４】図２、図３は本実施例に於いて電源を５０ヘルツとした時に得られたデジタルデータを１０ｍ秒のパルス幅として説明する。【００１５】位相差測定は負荷に影響されない電源のデジタルデータＶ２を基準とし、デジタルデータＶ２の波形の立ち上がりから約１ｍ秒を断芯判定ラインＰとする【００１６】ネオン管点灯時のタイミングチャート図２に於いて電圧判定ポイントＰ１と電流判定ポイントＰ２を比較すると、電流判定ポイントＰ２のレベルは高レベルであり、この結果をネオン管が正常に点灯しているものと判定する。【００１７】ネオン管断芯時のタイミングチャート図３に於いて電圧判定ポイントＰ１と電流判定ポイントＰ２を比較すると、電流判定ポイントＰ２のレベルは低レベルであり、この結果をネオン管が断芯しているものと判定する。
【産業上の利用可能性】
【００１８】本発明は、ネオン管の点灯装置に於いてトランスの二次側に接続した灯器の断芯判定手段に関する従来のアナログデータによる判定手段をデジタルデータで処理する事によって電源電圧の変動、灯器の経年劣化による消費電流の減少等により断芯判定簡単、確実に判定する事ができるので断芯判定の誤作動による不必要なメンテナンスを防ぐ事が出来る産業上の大きな利益が有る。
【符号の説明】
【００１９】  １  コンパレーター１
２  コンパレーター２
３  ネオントランス
４  ＣＴコイル
５  ネオン管
６  電源入力コモン
７  電源入力
８  位相差判定器
９  断芯判定出力
１０  オペアンプ
１１  レベル判定器
Ａ１  アナログ電流データ
Ａ２  デジタル電流のタイミングデータ
Ｖ１  アナログ電圧データ
Ｖ２  デジタル電圧のタイミングデータ
Ｐ  断芯判定ライン
Ｐ１  電圧判定ポイント
Ｐ２  電流判定ポイント
【図１】
2013016448.tif 000003
【図２】
2013016448.tif 000004
【図３】
2013016448.tif 000005
【図４】
2013016448.tif 000006
(57)【要約】【課題】    プッシュ缶のプッシュボタンを指で押す代わりに、流量を最適に調節した状態連続的に押し続ける簡便な用具があると便利であった。本発明は上記実情に鑑みてなされたもので、プッシュ缶に直接に接続することができ、流量調節した状態を保持したままガス等を放出することが可能で、また、ガス圧力調整器に接続することにより、安定なガス供給源として使用可能にすることを目的としている。【解決手段】    プッシュ缶に予め備え付けられているノズル管の取り付けられた指で押し下げる為のボタンを押し下げる為に金具であって，金具はプッシュ缶の上部のくびれ部分に金具金属板の弾性変形を利用してプッシュ缶に固定し、プッシュ缶のプッシュボタンを押し続ける為の雄ネジと略「コの字形」の金属板の中央に雌ネジが設けられ前記雄ネジを回転し前記押しボタンを最適な流量が得られる位置まで押し下げられるようにする。【選択図】図１
2013203479.tif 000002
【特許請求の範囲】
【請求項１】
プッシュ缶の上部に取り付け，プッシュ缶内部に充填されたガス等を連続的に取り出して使えるようにする為の用具で、プッシュ缶に予め備え付けられているノズル管の取り付けられた指で押し下げる為のボタンを押し下げる為の金具であって，金具はプッシュ缶の上部のくびれ部分に金具金属板の弾性変形を利用するか、またはコの字の両側面間にネジを貫通させることにより強く固定する等の方法でプッシュ缶に固定し、プッシュ缶のプッシュボタンを押し続ける為の雄ネジと略コの字形金属板の中央に雌ネジが設けられ前記雄ネジを回転し前記押しボタンを押し下げられるようにしたことを特徴とするプッシュ缶用流量調節金具
【発明の詳細な説明】
【技術分野】
【０００１】本発明は、プッシュ缶に取り付け可能なプッシュ缶用の用具に係り、プッシュ缶のプッシュボタンを指で押し続けなくても適切な流量に調節して使用可能にするための器具である。
【背景技術】
【０００２】  従来、プッシュ缶からガス等を放出もしくは他の装置に導入しようとする場合、接続方法がプッシュ缶のメーカにより異なるため、どのメーカのプッシュ缶でも連続的にガス等を放出し続けて使えるように出来る簡便なものはなかった。特に純ガス、標準ガスを充填したプッシュ缶に取り付けてプッシュ缶のプッシュボタンを押し続け、流量を調節するか、またはプッシュ缶のノズルを圧力調整器の流入口に接続して使うことができなかった。
【先行技術文献】
【特許文献】
【０００３】
【特許文献１】［出願番号］特許出願平１０−１１５９２２  ［発明の名称］スプレー缶支持治具
【特許文献２】出願番号  特許出願２００４−１９６０７１  発明の名称：プッシュ缶用ガス流量調整器
【発明の概要】
【発明が解決しようとする課題】
【０００４】    プッシュ缶のプッシュボタンを指で押す代わりに、流量を最適に調節した状態で連続的に押し続ける簡便な用具があると便利であった。    本発明は上記実情に鑑みてなされたもので、プッシュ缶に直接に接続することができ、流量調節した状態を保持することが可能で、また、ガス圧力調整期に接続することにより、安定なガス供給源として使用可能にすることを目的としている。
【課題を解決するための手段】
【０００５】      プッシュ缶６の上部に取り付け，プッシュ缶内部に充填されたガスを最適な流量で連続的に取り出して使えるようにする為の物で、プッシュ缶に予め備え付けられているノズル管９の取り付けられた指で押し下げる為のボタン８を押し下げる為に金具であって，金具はプッシュ缶６の上部のくびれ部分７に金具金属板の弾性変形を利用してプッシュ缶に固定し、プッシュ缶のプッシュボタンを押し続ける為の雄ネジ１と略「コの字形」の金属板の中央に雌ネジ３が設けられ前記雄ネジを回転し前記押しボタンを最適な流量が得られる位置まで押し下げられるようにする。【０００６】  コの字形の板をシッカリとスプレー缶に固定するために、コの字形板の両側面に穴１０を開け、ネジを貫通させるなどの方法で、固定してもよい。
【発明の効果】
【０００７】    本発明のプッシュ缶用保持金具は、金属板の弾性を利用しているため、部品点数が極めて少なく、安価に提供可能な上、使用者も簡単に使うことが可能である。    また、市販のプッシュ缶に装備されている、押しボタン、ガス噴出ノズルのパイプなどをそのまま使用するため、ムダがない。    本発明品は、プッシュ缶の上部のくびれ部分を利用するため、従来ガス取り出し器具用にプッシュ缶のガス出口部分の一部にメネジの加工を施したものでしか使用できなかったものに比べ、市販のどの缶に装着可能で、汎用性がある。
【図面の簡単な説明】
【０００８】
【図１】本発明のプッシュ缶用取付金具の一実施例を示すものである。図１は本発明の金具の取付方法を示している。
【図２】は本発明品の正面、右側面、下面の３面図である。
【発明を実施するための形態】
【実施例】  図１は本発明の最適な実施形態を示すものである。使用者は、図１で示したように、使用するプッシュ缶６の上に、本発明の略「コの字形」開口部の半円の切りかき部４の片側を当てて、反対側の「コの字」に手指５を当てることにより、開口部を開き、プッシュ缶のくびれ部７に入れて装着する。    ガス等を一定流量で放出、または他の装置に供給する場合は、本取付金具上部のネジ１を回して、プッシュボタン８を押し下げて流量を調節する。
【産業上の利用可能性】
【０００９】  本発明品は、プッシュ缶内部のガス等を連続的に供給することが可能なので」、プッシュ缶に備え付けられている、ノズル管の先端部に、適切な継手を接続することにより、プッシュ缶に充填されたガス等を簡便に他の装置に供給することが可能である。
【図１】
2013203479.tif 000003
【図２】
2013203479.tif 000004
(57)【要約】      （修正有）【課題】ゆで卵を携帯する場合、味がないまま食べるか、塩を別で携帯するしかなかった。本発明はゆで卵と塩を一緒に携帯でき、美味しく食べられることができる、塩ケース付ゆで卵ケースを提供する。【解決手段】ゆで卵ケース１に、塩ケース２を付け、一体化させてあり、使用にあたってはゆで卵ケース１を開けて卵を取り出し、塩ケース２のキャップを開け、殻をむいた卵３にふりかけ食べる。したがって、ゆで卵と塩を一緒に携帯でき、持ち運びしやすく、美味しく食べることができる。【選択図】図２
2013203478.tif 000002
【特許請求の範囲】
【請求項１】
塩ケースがついている、ゆで卵ケース。
【発明の詳細な説明】
【技術分野】
【０００１】  本発明は、ゆで卵ケースに塩ケースを取り付け携帯しやすくしたものである。
【背景技術】
【０００２】  ゆで卵ケースは、ケースの中にゆで卵を入れ携帯するものだが、味付けがなされていない事が一般的である。
【発明の概要】
【発明が解決しようとする課題】
【０００３】  従来のゆで卵ケースには次のような欠点があった。
（イ）、ゆで卵をそのまま食べると味気がない。
（ロ）、塩気が欲しい場合は、塩を別で携帯しなければならず面倒であった。
本発明は、これらの問題点を解決するためになされたものである。
【課題を解決するための手段】
【０００４】  ゆで卵ケース（１）に、塩ケース（２）を付け、一体化させる。
【発明の効果】
【０００５】  本発明を使用することによって、ゆで卵と塩を一緒に携帯でき、持ち運びしやすく、美味しく食べることができる。
【図面の簡単な説明】
【０００６】
【図１】本発明の正面図
【図２】本発明の使用状態を示す図
【発明を実施するための形態】
【０００７】  以下、本発明の実施の形態を説明する。
ゆで卵ケース（１）を開けて卵を取り出し、塩ケース（２）のキャップを開け、殻をむいた卵（３）にふりかけ食べる。
【符号の説明】
【０００８】１  ゆで卵ケース
２  塩ケース
３  ゆで卵
【図１】
2013203478.tif 000003
【図２】
2013203478.tif 000004
(57)【要約】【課題】  もずく・昆布・ワカメ・その他海藻類に多く含まれるフコイダンを依り多く抽出する為に、洗浄・柑橘エキスとの煮込み・圧力殺菌・酒漬込み・ろ過の工程を経ることを特徴とする、フコイダン抽出物の製造方法を提供する。【解決手段】  もずく・昆布・ワカメ・その他海藻類に多く含まれるフコイダンの抽出効率を高めるために、真水で洗浄し、さらに柑橘エキスで煮込むことにより、フコイダンを抽出し、さらに、ろ過残留物を酒に漬け込む事によって、より多くのフコイダンエキスを低コストで簡易に得ることができる。【特許請求の範囲】
【請求項１】
もずく・昆布・ワカメ・その他海藻類に多く含まれる溶解度の低い多糖類である、フコイダンを依り多く抽出する為に、もずく・昆布・ワカメ・その他海藻類を水で洗浄した後、柑橘エキスを加わえ、沸騰するまで煮込む。その後、圧力殺菌釜に移し再度１００度〜１３０度の温度で３０分から１２０分間煮込み、ろ過する製造方法。
【請求項２】
請求項１によりろ過した後の、残留固体をお酒で一週間以上寝かしこみ、その後に、ろ過し液体だけを取り出す、フコイダン抽出効率を高める為の酒漬込み抽出工程。
【請求項３】
請求項１及び２で製造した液体は浸透性が高く、機能性食品と組み合わせる事により相乗効果が得られるようになる。
【発明の詳細な説明】
【技術分野】
【０００１】  本発明は、生もずく・昆布・ワカメ・その他海藻類に含まれているフコイダンを、簡易に依り多く抽出取得することに関する製造方法である。
【背景技術】
【０００２】  生もずく・昆布・ワカメ・その他海藻類等に含まれているフコイダンは、アポトーシス誘導作用、免疫力増強作用、そして血管新生抑制作用があり食品や化粧品素材としての可能性を広くもっている。  また医学的にも大変有用な物質であるにもかかわらず、現在のところフコイダンを安価に供給するのは困難な状況下にある。フコイダンを効率よく抽出することが待たれていた。【０００３】  今までは、もずく・昆布・ワカメ・その他海藻類の中に豊富に含まれるフコイダン成分やミネラル成分が、洗浄することによりその成分が、一緒に洗い流されると言われていた。しかし、現在では洗浄した後であっても、フコイダンの成分に変化は無く、もずく・昆布・ワカメ・その他海藻類を、加熱・液化しても、フコイダン成分の含有量に変化は見られないことが確認されている。
【発明の概要】
【発明が解決しようとする課題】
【０００４】  もずく・昆布・わかめ・その他海藻類に多く含まれるフコイダンを低コストで簡易に抽出する為の製造方法。
【課題を解決するための手段】
【０００５】  もずく・昆布・ワカメ・に多く含まれるフコイダンを依り多く抽出する為に、生もずく・昆布・ワカメ・その他海藻類を真水で洗浄する。その後、柑橘エキスを加え沸騰するまで煮込む。その後ろ過した液体と、ろ過後のもずく・昆布・ワカメその他海藻類を酒で一週間以上寝かしこみ、その後ろ過しできた液体を、混合する。この製造方法により低コストでフコイダンを簡易に製造することができる。
(57)【要約】      （修正有）【課題】貨物車が沢山の荷物や重量物を積んでも、いつでも積載量を知ることができるように、自動車に取り付けだれる積載重量測定装置を提供する。【解決手段】取り付け板６に筒状パイプ７を設け、この中に測定棒８を設け、この測定棒８が筒状パイプ７の中で上下に動くようにし、または止まるようにさせるための、ストッパ−１０付きア−ム９を設け、このア−ムのストッパ−部１０が測定棒８を押さえて止めたり、または、測定棒８から離れるように、電動マグネット１２とバネ１１を働かせ測定棒８を動かすようにする、このような構造で、これを取り付け板６に設けたものを、自動車の前アクスル上部、後方側ギヤ、ハウジング上部など、車体シャ−シ側に取り付けて積載重量を測定するものである。【選択図】図１
2013120184.tif 000002
【特許請求の範囲】
【請求項１】
筒状パイプの中に測定棒を設け、この測定棒が筒状パイプの中で上下に動くようにし、とともに、止まるようにした測定棒これらを取り付け板に設け、これを自動車の車体シャ−シ側に取り付け、下のタイヤ、アクスルと車体シャ−シとの間の距離を測定棒で測り積載重量が、わかるようにした、積載重量測定装置。
【発明の詳細な説明】
【技術分野】
【０００１】本発明は、貨物車などの積み荷の重量を測定する装置の取り付けに、関するものである。
【背景技術】
【０００２】貨物車の総重量量を計る台貫があった、しかしこれを使用する際はこの台貫を設置している場所まで車を移動し、積載総重量を計測するものであった。
【発明の開示】
【発明が解決しようとする課題】
【０００３】自動車が荷物を積む際に、この荷物がどれだけの重さか確認できない品物、材料などがあり、このために積みすぎたりして危険を招く過重積載の原因にもなった。
【課題を解決しようとするための手段】
【０００４】本発明は図５、図６のように、貨物車などの車体シャ−シ１とタイヤ、アクスル２との間に、本発明の積載重量測定装置２２を設け、いつでも荷物の積載重量を測れるようにしたものである、これは貨物車が荷物を積むときに、この荷物の重さで自動車の各スプリング４が圧縮されて、車体シャ−シ１がタイヤ、アクスル２側へ下がってくる、この下がってくるこの動きを旨く利用するものである、本発明はタイヤ、アクスル２上部の車体シャ−シ１側に取りつけて使用するものである、これは取付け板６に筒状パイプ７を設け、この筒状パイプ７の中に数字を付けた測定棒８を設け、車体シャ−シ１がアクスル２側へ下がってくる、この時の車体シャ−シ１とタイヤ、アクルス２間の変動する距離を、積載重量数字１７と、総重量数字１８を付けた測定棒８で計り、積載重量を知るようになされたものである。
【発明の効果】
【０００５】本発明の積載重量測定装置は、貨物車が荷物を積む際に、積載前から積載途中、積載後まで、いつでも自ら積載量を計り知ることができ、積載オ−バ−を無くすことができる。
【実施するための最良の形態】
【０００６】取り付け板６に筒状パイプ７を設け、この筒状パイプ７の中に、積載重量数字１７と車両総重量数字１８双方を付けた測定棒８を設け、この測定棒８をストッパ−ア−ム９のストッパ−部１０で押さえて筒状パイプの中で、測定棒８は止まるようにする、また計量を開始する際は、この測定棒８を、下のアクスル２まで下げるため電動マグネット１２を働かせる、するとストッパ−ア−ム９が上がり、ア−ム９のストッパ−部１０が測定棒８から離れ、測定棒８は下へ下がって、測定棒８の先端２０が下のアクスル２へ到達して止まる、この時に積載量数字１７と、車両総重量数字１８を矢印１９と合わせて荷物の積載前の数字が確認することができる。
【実施例】
【０００７】自動車が荷物を積んでいくと車体シャ−シ１が下がってくる、下のアクスル２に接して止まっている測定棒８だけが、筒状パイプ７の中を上がるように移動する、この時に測定棒８の積載重量数字１７と車両総重量数字１８も矢印から上へ移動するので、計りを確認することもできる、本発明はこのような構造であるから、これは自動車が荷物を下ろしても測定棒８は、ストッパ−ア−ム９のストッパ−部１０で、バネ１１の力で押さえだれて上がったままで止まっている、このために、もし積み荷を半分だけ下ろしても、この残りの量を、また電動マグネット１２のスイッチボタンを押し入れて測定棒８を、再度下のアクスル２まで下ろして、測定棒８の積載重量数字１７と車両総重量数字１８を矢印１９と合わせて見て、残りの量を測り知ることもできるものである。【０００８】このように本発明は測定棒８を上げ下げさせて積載重量を測定するものであるから、この測定棒８の上下作動を電動モ−タ−を使用してもよい、また測定棒８を外気のゴミや埃から守るため小型モ−タ−を使い測定棒８を伸縮できるようにし、測定後に筒状パイプ７の中に収納ができるようにしてもよい、本発明は、このように自動車の車体シャ−シ１側に、取り付けて積載量を測定するものであるから、これは自動車の前方アクスル２上部と後方側ギヤ、ハウジング３上部などの車体シャ−シ１側の、前と後ろに取り付けて、測定ができるようにしたものである。【０００９】また、本発明は過重積載を無くす目的でもあるから、これをより効果的にするために、過重積載警報装置を設け、荷物の積みすぎ、積載オ−バ−を知らせることもできるようにしたものである、これは図１と図４に示すように、測定棒８の上部に非常用スイッチ１４を設け、荷物の積み過ぎでスプリング４が圧縮されて、測定棒８が、以上に上がると図４のように、非常用スイッチが入り過重積載を知らせる非常灯１６やスピ−カ−１５音声などで、責栽オ−バ−を知らせることができる、またこの測定棒８にコイルなどを利用し電気配線で、車内に積載重量計器を設け、運転車内からも積載量を確認し知ることもできる。
【図面の簡単な説明】
【００１０】
【図１】本発明の正面図である。
【図２】本発明の平面図である。
【図３】本発明の取り付け状況実施例を示す図である。
【図４】本発明の測定開始前を示す図である。
【図５】本発明の積載後の測定状況を示す図である。
【図６】本発明の取り付け状況を示す図である。
【符号の説明】
【００１１】  １車体シャシ−
２アクスル
３ギヤ、ハウジング
４スプリング
５タイヤ
６取り付け板
７筒状パイプ
８測定棒
９ストッバ−ア−ム
１０ストッバ部
１１バネ
１２電動マグネット
１３測定棒調整ネジ
１４非常用スイッチ
１５スピ−カ−
１６非常灯
１７積載重量数字
１８総重量数字
１９矢印
２０先端クッション部
２１開口部
２２積載重量測定装置
【図１】
2013120184.tif 000003
【図２】
2013120184.tif 000004
【図３】
2013120184.tif 000005
【図４】
2013120184.tif 000006
【図５】
2013120184.tif 000007
【図６】
2013120184.tif 000008
(57)【要約】      （修正有）【課題】コピー後に原稿カバーを開けた時、原稿台（ガラス面）におかれたコピー原紙が原稿カバーの裏側の押さえクッションに追従し巻き上げられて飛び散ってしまうのを防止し、また原稿自動送り装置を使用した場合にコピー原紙二枚数を一枚数に縮小する機能を導入することで、コピー作業の煩雑性を解消するコピー機の提供。【解決手段】コピー機５の原稿カバー１の裏側の押さえクッション２の表面のシールに凹凸の溝を設ける。また、コピー原紙二枚数を一枚数の用紙に同時に縮小や拡大ができるように、この機能をシステム設定メニューに組み込む。【選択図】図１
2013120386.tif 000002
【特許請求の範囲】
【請求項１】
コピー後に原稿カバーを開けた時、コピー原紙が原稿カバーの裏側の押さえクッションに巻き上げられて飛び散ってしまう事が多々ある為、原稿カバーを開けても、コピー原紙が原稿カバーの裏側の押さえクッションに巻き上げられないように裏側の押さえクッションの表面に凹凸の溝を設ける事で、コピー原紙が原稿台（ガラス面）から巻き上がって飛び散る事が少なくなるよう巻き上げ防止の押さえクッションが付いた原稿カバーの裏側の押さえクッション。
又原稿自動送り装置の原稿セット台の使用で、コピーの倍率の縮小や拡大コピーの読み込みでは一枚数の縮小や拡大機能だけでなく、コピー原紙を同時に二枚数を読み込み、一枚数の用紙にコピーの縮小や拡大の読み込みができる機能をシステム設定メニューに新たに組み込み設定する事で、原稿台（ガラス面）を使用せずに、原稿自動送り装置の原稿セット台を使ってのコピーの原紙二枚数を一枚数の用紙に同時に縮小や拡大のコピーができるようになったコピー機。
【発明の詳細な説明】
【技術分野】
【０００１】この発明は、今まではコピー後に原稿カバーを開けた時、コピー原紙が原稿カバーの裏側の押さえクッションに巻き上げられ飛んでしまう事が多々あったが、裏側の押さえクッション表面に凹凸の溝を設ける事で、原稿カバーを開けた時、コピー原紙を原稿台（ガラス面）から巻き上げず飛び散る事が妨げるようになる。
又原稿台自動送り装置の原稿セット台を使ってのコピー倍率の縮小や拡大のコピーの読み込みに関して、今まではコピー原稿の一枚数毎を一枚数の用紙への縮小や拡大のみで、コピー原稿の二枚数を一緒に一枚数の用紙に縮小や拡大の読み込みするコピーはできなかったが、コピー機のシステム設定メニューに新たに二枚数の原稿を続けて読み、一枚数の用紙に同時に縮小や拡大する事が原稿台（ガラス面）を使用しなくてもコピーの利用が可能になるようにシステム設定メニューを設けたコピー機。
【背景技術】
【０００２】現在、コピーの原稿台（ガラス面）を使用してのコピー後、原稿カバーを開けた時、原稿カバーを開けても原稿カバーの裏側の押さえクッションにひっついて巻き上げられない原稿カバーの裏側の押さえクッションが望まれていた。
又原稿自動送り装置の原稿セット台を使用する時、連続して読み込み、等倍、縮小、拡大等とコピーができたが、縮小又拡大のシステム設定は各一枚毎の縮小又拡大でのコピー機能設定であった。コピー原紙を同時に二枚数読み込み、縮小又拡大は原稿台（ガラス面）でしかできなかったので、原稿自動送り装置の原稿セット台の使用でも原稿台（ガラス面）での使用と同じように、コピー原紙を同時に二枚数を一枚数の用紙へ縮小又拡大ができるコピー機が望まれていた。
【発明の概要】
【発明が解決しようとする課題】
【０００３】これまでのコピーの原稿台（ガラス面）でのコピー後、コピー機の原稿カバーを開けた時、原稿カバーの裏側の押さえクッションにコピー原紙がひっつき巻き上げられ、飛び散っていたりしていたので、原稿台（ガラス面）にコピー原紙が置かれた状態で原稿カバーの押さえクッションに巻き上げられないように考えられたものである。
又原稿自動送り装置の原稿セット台を使用してのコピーの縮小や拡大でコピー原紙の二枚数を一枚数の用紙にコピーできるようにコピー機にコピー機能設定を新たに組み込み設定し、原稿自動送り装置の原稿セット台での使用でも、コピーの原稿二枚数を一枚数の用紙に縮小又拡大ができるようにと考えられたものである。
【課題を解決する為の手段】
【０００４】これまでのコピー原稿カバーの裏側の押さえクッションとコピー原紙の接触面の押さえクッションに凹凸の溝を設けたコピー原稿カバーの裏側の押さえクッション。
又原稿自動送り装置の原稿台の使用での縮小又拡大で同時に二枚数のコピー原紙を一枚数の用紙に縮小又拡大コピーをする為に、コピー機に新たにシステム設定を機能設定し機能を組み込んだコピー機。
【発明の効果】
【０００５】コピー原稿カバーの裏側の押さえクッションの表面に凹凸の溝を全体に設ける事で、コピーの原稿カバーを開けた時、コピー原紙が原稿カバーの裏側の押さえクッションにひっつき巻き上がらない原稿カバーの裏側の押さえクッションとして提供できる。
又原稿自動送り装置の原稿台の使用での縮小又拡大のコピーで、二枚数の原紙を続けて読み込み、一枚数の用紙に同時に縮小又拡大をコピーできるようにコピー機に新たにシステム機能設定を組み込み設定し、表示キーで使用し、コピーができるようにと提供できる。
【図面の簡単な説明】
【０００６】
【図１】  コピーの原稿カバーの裏側の押さえクッションに凹凸の溝を設けた裏側の押さえクッション
【図２】  裏側の押さえクッションの凹凸の溝
【図３】  コピー機にコピー原紙の二枚数を同時に一枚数の用紙に縮小又拡大できるような機能をシステム設定し表示キーで使用できるように、システム機能を組み込んだ操作パネル
【発明を実施する為の形態】
【０００７】以上、本願発明の実施の形態について説明する。
コピーの原稿台（ガラス面）を使用してのコピー後、原稿カバーを開けた時、原稿カバーの裏側の押さえクッションにコピー原紙がひっついて巻き上がるので、原稿カバーの裏側の押さえクッションの原稿台（ガラス面）側に凹凸の溝を設けて使用する事で、原稿用紙が原稿カバーを開けても、裏側の押さえクッションにひっついて巻き上がる事がない原稿カバーの裏側の押さえクッションとして使用する事ができる。
又原稿自動送り装置の原稿セット台を使用して、縮小又拡大の操作で原紙の二枚数を同時に一枚数の用紙にコピー操作する機能をコピー機にシステム設定する事で、原稿台（ガラス面）を使用せずに原稿自動送り装置の原稿セット台を使用してのコピー操作ができる。
【符号の説明】
【０００８】▲１▼  原稿カバー
▲２▼  裏側の押さえクッション
▲３▼  原稿台（ガラス面）
▲４▼  操作パネル
▲５▼  コピー機
▲６▼  裏側の押さえクッションスポンジ部
▲７▼  裏側の押さえクッションの凹凸の溝の付いた表面部
▲８▼  原稿自動送り装置
▲９▼  原稿セット台
【図１】
2013120386.tif 000003
【図２】
2013120386.tif 000004
【図３】
2013120386.tif 000005
(57)【要約】【課題】発電をするとき、コストが安くてすむように、発電機の回転軸と連結することの出来るところに、大小二つのはずみ車を設けたフライホイール発電機を提供する。【解決手段】油圧の力を利用してはずみ車大（４）を油面に浮かせ状態にし、バッテリー（２６）を電源とした小型モーター（１）の動力で、そのはずみ車大（４）を高回転させて大きなエネルギーを蓄えさせ、そしてはずみ車大（４）を浮かせ状態から重力圏に戻して、発電機（２５）を回すというように、他からのエネルギーを一切必要としないところを、フライホイール発電機の特徴とする。【選択図】図１
2013019406.tif 000002
【特許請求の範囲】
【請求項１】
高回転する大小二つのはずみ車のエネルギーを交互に用いて、発電機を回しつづけること。
【請求項２】
はずみ車大に回転を与えようとする時、小型モーターの力ですばやく高回転域に達することが出来るように、重量のあるはずみ車大（４）を、油面に浮かせ状態にすること。
【発明の詳細な説明】
【技術分野】
【０００１】この発明は、フライホイールの回転力をエネルギーとした発電機に関するものである。
【背景技術】
【０００２】従来、発電機は水力、風力、蒸気、エンジン等で回転させていた。
【先行技術文献】
【０００３】
【特許文献１】
【非特許文献１】
【発明の概要】
【発明が解決しようとする課題】
【０００４】これは次のような欠点があった。
（イ）ＣＯ２の排出があった。
（ロ）設置場所が限られていた。
（ハ）コストが高いこと。
本発明は、以上のような欠点をなくすためになされたものである。
【課題を解決するための手段】
【０００５】  オイルボックス（１６）を縦に貫いているはずみ車大の回転軸（５）に浮かし羽根（１７）を設け、その浮かし羽根（１７）の下に油圧ポンプ（１０）で油を送入して、はずみ車大（４）を浮かせ状態にする。水に浮かべた船と同様に動かし易くなったはずみ車大（４）を、モーター（１）の動力で高回転させる。次に排出弁（１５）を「開」にして、オイルボックス（１６）内の油面を低くして、はずみ車大のフランジ（１８）とはずみ車小の石綿付きフランジ（１９）とを接触させ、はずみ車小（２０）ともどもに発電機を回す。はずみ車大（４）の回転が中回転位に落ちて来たら、オイルボックス（１６）に油を送入する。それを繰り返して発電しつづける。本発明は、以上の構成よりなるフライホイール発電機である。
【発明の効果】
【０００６】  はずみ車で発電機を回すので、外部からのエネルギーを必要としない。
またそのはずみ車にエネルギーを蓄えるのには、はずみ車を油圧の力で浮かせ状態にして回転させるので、発電機の生産した電力のうちの何割かを消費することで可能である。
【図面の簡単な説明】
【０００７】
【図１】  本発明の正面図、兼断面図である。
【発明を実施するための形態】
【０００８】  以下、本発明を実施するための形態について説明する。
鉄製の枠組（３１）を据えその底部に、回転軸が上へ向いた発電機（２５）を据える
発電機（２５）の上方にはずみ車、小（２０）を設ける。発電機（２５）の回転軸とはずみ車、小（２０）の回転軸とは、一本棒に連結する。
はずみ車、小（２０）を固定するためのベアリング（２２）を枠組の横桟（７）に、設ける。
はずみ車、小（２０）の重量が、発電機（２５）の軸受けにかかるのを軽減するために、枠組の横桟に軸受けメダル（２３）を設ける。
はずみ車小（２０）の上方にはずみ車大（４）を設ける。はずみ車小（２０）とはずみ車大（４）とが接触と離反を繰り返すことの出来るように、はずみ車小（２０）の上部には、はずみ車小の石綿付きフランジ（１９）、はずみ車大（４）の回転軸の下部にははずみ車大のフランジ（１８）を設ける。
はずみ車小（２０）とはずみ車大（４）との間にオイルボックス（１６）を設ける。はずみ車大（４）の回転軸が、オイルボックス（１６）の中央部を貫通することの出来る位置に設けるのである。
はずみ車大（４）の上方にモーター（１）を設ける。はずみ車大（４）が浮かせ状態になって上方へ動いたら、はずみ車大の石綿付きフランジ（３）と、モーターのフランジ（２）とが接触することの出来る位置に設けるのである。
配線上に油圧ポンプのスイッチ（８）を設ける。はずみ車大（４）の回転数が一定以下になったら「入」になり、回転数が一定以上になったら「切」になる油圧ポンプスイッチ（８）である。
配線上にモータースイッチ（３０）を設ける。はずみ車大の石綿付きフランジ（３）とモーターのフランジ（２）とが接触したら「入」になり、離反したら「切」になるモーターのスイッチである。
本発明は以上のような構造である。
これを使用するときは、十分に充電したバッテリー（２６）を用い、運転開始時には、油圧ポンプのスイッチ（８）のスイッチを手動で「入」にすればよい。
【符号の説明】
【０００９】１    モーター                            ２３  軸受メダル
２    モーターのフランジ                  ２４  発電機回転軸
３    はずみ車大の石綿付きフランジ        ２５  発電機
４    はずみ車大                          ２６  バッテリー
５    はずみ車大の回転軸                  ２７  枠組の床
６    メダル                              ２８  配線
７    枠組の横桟                          ２９  枠組の柱
８    油圧ポンプスイッチ                  ３０  モータースイッチ
９    オイルタンク                        ３１  鉄製の枠組
１０  油圧ポンプ
１１  オイルホース
１２  排出ホース
１３  送入ホース
１４  送入弁
１５  排出弁
１６  オイルボックス
１７  浮かし羽根
１８  はずみ車大のフランジ
１９  はずみ車小の石綿付きフランジ
２０  はずみ車小
２１  はずみ車小の回転軸
２２  ベアリング
【図１】
2013019406.tif 000003
(57)【要約】      （修正有）【課題】原子力、火力、水力を用いない発電方法を提供する。【解決手段】発電機の駆動装置を利用する事により、豊富にある水を多量に消費するのではなく、水槽を設け水の浮力を利用するので漏れ出た水で済ます事が出来、浮力体を連動させ浮力で位置エネルギーを作り出す事で安定した動力源を得る事が出来、無尽蔵、無公害の電源を確保するものである。【選択図】図１
2013019407.tif 000002
【特許請求の範囲】
【請求項１】
浮力体を下の水槽装入口で積み重ね装入し、誘導ガイドで上部浮上口に誘導し、浮上口上部の水槽を常時通過させ水槽上部に浮上させて、位置エネルギーを得、落下する運動エネルギーで発電機を回す駆動装置。
【請求項２】
また浮力体は上部を軽くし下部を重くする事により、水の中で誘導ガイドに当たり角度が変化する事で上部の浮力体と容易に切り離す事が出来真っ直ぐ上昇するようにした請求項１記載の駆動装置。
【発明の詳細な説明】
【技術分野】
【０００１】  本発明は発電機の駆動装置に関するものである。
【背景技術】
【０００２】  原子力、火力発電は有限の資源を利用、また水力、風力、太陽光発電は再生可能エネルギーがある。
【発明の概要】
【発明が解決しようとする課題】
【０００３】  原子力発電は大出力の発電が可能であり二酸化炭素は出さないが大災害に会うと安全性が確保出来ておらず被害が甚大である。【０００４】  火力発電は資源の乏しい我が国では他国に頼らざるを得ず、安定性を欠く、化石燃料は有限の資源である為後世に残す必要があり、また二酸化炭素を多量に出すため地球環境に良くない、原子力、火力発電は有限の資源であるため将来を考えると底をつく。【０００５】  風力、太陽光、波力発電は無公害であるが天候に左右されやすく安定性を欠く、また大きな出力の発電が難しい。【０００６】  水力発電は立地条件に制約されやすく大規模工事の為長い工期を要し自然環境保護の観点から肯定しがたい、大きい電力を得るためには多量の水を消費する為ダムの渇水、土砂の堆積等があり、電力供給源としては限りがある。
【課題を解決するための手段】
【０００７】  本発明はこのような問題を解決しようとするものであり、浮力体を下の水槽装入口で積み重ね装入し、誘導ガイドで上部浮上口に誘導し、浮上口上部の水槽を常時通過させ水槽上部に浮上させて、位置エネルギーを得、落下する運動エネルギーで発電機を回す駆動装置。【０００８】  また、浮力体は上部を軽くして下部を重くする事により、水の中で誘導ガイドに当たり、角度が変化する事で上部の浮力体と容易に切り離す事が出来、真っ直ぐ上昇するようにしたもので、浮力の特性を利用したものである。【０００９】  多量の水を消費しないで無公害無限の位置エネルギーを作り出し、発電を目的とする発電機の駆動装置であり、豊富にある水をエネルギー源として浮力と重力を組み合わせ、無公害のエネルギーを作り出す発電機の駆動装置。
【発明の効果】
【００１０】  上述したように無公害なので設置場所が容易に確保出来、漏れた水を再利用して上水道等にも利用可能であり、エネルギー問題の解決に寄与出来るものである。またエネルギー源が水なので枯渇する事がない。
【図面の簡単な説明】
【００１１】
【図１】  本発明、浮重動力機の実施形態を示す正面から見た概観図
【発明を実施するための形態】
【００１２】  以下本発明の実施の形態を図１に基づいて説明する、図においては水槽Ａ下部に設けた水槽Ａ−Ａ、Ａ−Ｂ、水槽Ｂ、浮力体１、誘導柱２、誘導ガイド３、装入口４、浮上口５、遮断板６、給水口７、集水箱８、発電エリアＣから成り立つものである。
【００１３】  水槽Ａは水槽Ａ−ＡとＡ−Ｂに区切られており下部浮上口５と同径で下部浮上口上側と水槽Ａ−Ａ上側とに遮断板６を取り付ける、浮力体１を始動、停止する時の大きな役割をなすものである。
【００１４】  水槽Ａを水槽Ａ−Ａ、Ａ−Ｂと設ける事により水槽Ｂに流れる水量を減じる事が出来る、浮上口５、水槽Ａ−Ａ、Ａ−Ｂには常時浮力体１が通過している事が重要である。
【００１５】  この装置の特徴は、水槽の中に水を満たし下部の水槽Ｂの方から浮力体１を重ね入れ、浮力で水槽Ａ上部まで上げ位置エネルギーを得て、これを落下させ動力を得るものである。
【００１６】  全ての水槽に水を満たした水槽の下部にかかる水圧は、上部水槽の水位の分だけ水圧がかかるが、下部の水槽Ａ−Ａ、Ａ−Ｂに浮力体１を常時通過させ、間隙の隙間から漏れ出た水を下部の水槽から漏れさせた場合、漏れ出た分の圧力しかかからない。
【００１７】  したがって浮力体１を水槽Ｂから装入した場合、漏れ出る水の量の分だけの力しか働かない、全水位の圧力は水槽Ａ下部に水槽Ａ−Ａ、Ａ−Ｂを設ける事により、水槽Ｂの圧力を減じられる。漏れ出る水の流量以上の浮力があれば、上部に向かって浮力体１は浮上して行くのである。
【００１８】  水槽Ａ単体の場合、任意の穴を開け、水を流出させると全水位分の圧が水槽Ａの底部に及ぶが、水槽Ａを水槽Ａ−Ａ、Ａ−Ｂとに区切って浮力体１を常時通過させ、間隙から漏れた水槽Ｂ装入口４で間隙から流出させた場合、水槽Ｂにかかる圧力は大幅に減じられる。
【００１９】  したがって浮力体１を数個重ねるだけで水槽Ｂに容易に装入出来る、水槽Ｂに装入された浮力体１を誘導ガイド３で向きを変え上部浮力体１と切り離せば当然浮上する。
【００２０】  つまり自然の法則、原理を利用し浮力体１を水槽Ｂから水中に入れ浮力で浮上させ上部まで上がった浮力体１は、上部誘導ガイド３で向きを変え重力で下に向かって落下する、これを連動させる事で無限のエネルギーを得るもので、水がある限り無公害のクリーンなエネルギーを得る事が出来る発電機の駆動装置である。
【００２１】  この発電機の駆動装置は漏出した水を常時補給し、上部の水位を一定に保つ事と装入口４、浮上口５、水槽Ａ−Ａ、Ａ−Ｂに常時浮力体１が通過している事が必須条件である、設置場所は無公害で騒音を出さないので、水が合理的に利用できる所であれば良く、設置場所の選定が容易である。
【００２２】  水槽Ｂの装入口４は水槽Ａの浮上口５より多少大きめにする事で浮力体１がより水中に入り良くなり発電エリア部Ｃが長くなり、大きな出力を取り出す事が出来る。
【符号の説明】
【００２３】Ａ      水槽
Ｂ      水槽
Ａ−Ａ  仕切板
Ａ−Ｂ  仕切板
Ｃ      発電エリア部
１      浮力体
２      誘導柱
３      誘導ガイド
４      装入口
５      浮上口
６      遮断板
７      給水口
８      集水箱
９      水面
【図１】
2013019407.tif 000003